(57)【要約】  本発明は、eNBのリソース監査方法及びシステムを提供し、第一eNBと第二eNBの通信システムに応用され、そのうち、第一eNBと第二eNBは隣接関係があって、そしてX2のインタフェースを通じて通信する、前記方法は以下の内容を含む：第一eNBはリソース監査のプロセスをトリガーし、第二eNBにリソース監査の請求メッセージを送信する；第一eNBは第二eNBがリソース監査の請求メッセージに応じて送信したリソース監査の応答メッセージを受信し、リソース監査の応答メッセージの中から第一eNBの第一リソース情報を取得する；第一eNBは取得した第一リソース情報と第一eNBがローカルストレージする第二リソース情報により監査をする。本発明はeNBの間のリソースの一致を保証した。
2012503377.tif 000002
【特許請求の範囲】
【請求項１】
eNBのリソース監査方法であって、第一eNBと第二eNBを含む通信システムに応用され、その中、前記第一eNBと前記第二eNBが隣接関係を備えていて、X2インターフェースを通じて通信し、前記の方法には：
前記第一eNBはリソース監査プロセスをトリガーし、前記第二eNBにリソース監査請求メッセージを送信する；
前記第一eNBは前記第二eNBが前記リソース監査請求メッセージに応答して送信したリソース監査応答メッセージを受信し、前記リソース監査応答メッセージの中から前記第一eNBの第一リソース情報を取得する；
前記第一eNBは取得した前記第一リソース情報と前記第一eNBのローカルストレージの第二リソース情報によって監査する；を含むことを特徴とする監査方法。
【請求項２】
請求項1に記載の方法であって、前記第一eNBが前記リソース監査プロセスをトリガーする方式は以下の一つを含む：周期的に前記監査プロセスをトリガーする；前記第二eNBからのトリガーメッセージに応答して、前記監査プロセスをトリガーすることを特徴とする監査方法。
【請求項３】
請求項1に記載の方法であって、前記第一eNBが前記第二eNBに前記リソース監査請求メッセージを送信した後、前記の方法はさらに：
前記リソース監査請求メッセージに応答して、前記第二eNBはそれのローカルで前記第一eNBのリソースを読み取って、前記第一リソース情報を取得する；
前記第二eNBは前記リソース監査応答メッセージを通じて前記第一リソース情報を前記第一eNBに送信する；を含むことを特徴とする監査方法。
【請求項４】
請求項1に記載の方法であって、前記第一eNBリソース情報には第一eNBのセルID、第一eNBのセル個数の情報の中の少なくとも一つを含むことを特徴とする監査方法。
【請求項５】
請求項1に記載の方法であって、前記第一eNBが監査の処理を行うことは具体的には：
前記第一eNBは前記第一リソース情報と前記第二リソース情報とを対比する；
対比の結果、両者が不一致である場合に、前記第一eNBは前記対比の結果によってリソース更新プロセスをトリガーする；であることを特徴とする監査方法。
【請求項６】
請求項1に記載の方法であって、前記第一eNBは前記対比の結果によって前記リソース更新プロセスをトリガーの処理は具体的には：
前記第二リソース情報に存在するが、前記第一リソース情報に存在しないリソースに対して、前記第一eNBはそれを配置更新メッセージの増加部分に書き込む；および/又は前記第二リソース情報に存在しないが、前記第一リソース情報に存在するリソースに対して、前記第一eNBはそれを配置更新メッセージの削除部分に書き込む；および/ 又は前記第一リソース情報と前記第二リソース情報にともに存在するインデックスが同じ、ただし前記インデックスに対応するほかのリソースが異なるリソースに対し、前記第一eNBはそれを配置更新メッセージの改正部分に書き込む；
前記第一eNBは前記第二eNBに配置更新メッセージを送信し、リソース更新プロセスを実行する；を含むことを特徴とする監査方法。
【請求項７】
請求項1ないし請求項6中のいずれか一項に記載の前記方法であって、前記リソース監査請求メッセージと前記リソース監査応答メッセージの中には前記第一eNBに対応する第一eNBIDと前記第二eNBに対応する第二eNBIDをさらに携帯していることを特徴とする監査方法。
【請求項８】
eNBのリソース監査システムであって、第一eNBと第二eNBを含み、その中、前記第一eNBと前記第二eNBが隣接関係を備え、X2インターフェースを通じて通信し、そして前記のシステムには：
前記第一eNBにあって、リソース監査プロセスをトリガーすることに利用されるトリガーモジュール；
前記第一eNBにあって、前記第二eNBにリソース監査請求メッセージを送信することに利用される第一送信モジュール；
前記第一eNBにあって、前記第二eNBが前記リソース監査請求メッセージに応答して送信したリソース監査応答メッセージを受信することに利用される第一受信モジュール；
前記第一eNBにあって、前記第一受信モジュールが受信した前記リソース監査応答メッセージの中から前記第一eNBの第一リソース情報を取得することに利用される取得モジュール；
前記第一eNBにあって、前記取得モジュールが取得した前記第一リソース情報と前記第一eNBがローカルストレージする第二リソース情報によって監査することに利用される監査モジュール；を含むことを特徴とする監査システム。
【請求項９】
請求項8に記載のシステムであって、さらに：
前記第二eNBにあって、前記第一eNBからの前記リソース監査請求メッセージを受信することに利用される第二受信モジュール；
前記第二eNBにあって、前記リソース監査請求メッセージに応答し、前記第二eNBのローカルで前記第一eNBのリソースを読み取って、前記第一リソース情報を獲得することに利用される読み取りモジュール；
前記第二eNBにあって、前記リソース監査応答メッセージを通じて前記第一リソース情報を前記第一eNBに送信することに利用される第二送信モジュール；を含むことを特徴とする監査システム。
【請求項１０】
請求項8に記載のシステムであって、前記監査モジュールは具体的に：
前記第一リソース情報と前記第二リソース情報を対比することに利用される対比サブモジュール；
前記対比サブモジュールの対比結果が両者不一致である場合において、前記第一Enbが前記対比結果によってリソース更新プロセスをトリガーすることに利用されるトリガーサブモジュール；を含むことを特徴する監査システム。
【発明の詳細な説明】
【技術分野】
【０００１】
本発明は通信の分野に係わり、具体的にエボリューションノードB（eNode B、略称eNB）のリソース監査方法及びシステムに関するものである。
【背景技術】
【０００２】
図1は関連技術によってロング・ターム・エボリューションエボリューション（Long Term Evolution、略称LTE）通信システムの構成フローチャートである。図1のように、LTE移動通信システムはアクセスネットワークとコアネットワークにより構成し、コアネットワークはモバイル管理エンティティ/サービスゲートウェイ(Mobile Management Entity、略称MME)/(Service Gateway、略称S-GW)設備を含み、アクセスネットワークはeNB設備を含む；例えば、エボリューションの通用移動通信システム(Universal Mobile Telecommunications System略称UMTS)エボリューションの地上無線アクセスネットワーク(Evolved UMTS Terrestrial Radio Access Network、略称E-UTRAN)に帰属するeNBはX2インターフェースを通じてeNBと通信し、eNBはS1インターフェースを通じてコアネットワークのMWE/S-GWと繋がって、eNBはUuインターフェースを通じてUEと通信し、その中、X2インターフェースはeNBの間のインターフェースであって、eNBの間のメッセージを交換に利用される。
【０００３】
eNBの間で切り替えを行って、負荷分散などの機能を実現するため、eNBは隣接するeNBのセル情報などを保存する必要があって、これらのリソース情報が異なったeNBで一致することを保証する。現在、 eNBでパワーオンしてから、リセットメッセージを相互に送信し、リソースの初期アライメントを進行し、X２を通じてメッセージ交換セルと他の情報をセットアップする；もしeNBのリソースが変化して、増加、改正あるいは削除が発生したら、eNBはeNB配置更新メッセージを通じて他のeNBに自分のリソース情報を更新するよう通知し、それで増量リソースアライメントをする。
【０００４】
図2は関連技術によるeNBリセットのシグナリングのフローチャートであって、図2のように、eNBリセットは以下のステップを含む：
ステップS202、eNBパワーオンして、下層通信をセットアップし、第一エボリューションノード(eNodeB1、略称eNB1)はX2リセット請求メッセージ(RESET REQUEST)を第二エボリューションノード(eNode B2、略称eNB2)に送信する；
ステップS204、eNB2はeNB1のX2リセット請求メッセージを受信し、eNB2はeNB1関連するすべてのリソース情報を削除し、X2リセット応答メッセージ(RESET RESPONSE)をeNB1に送信する。
【０００５】
図3は関連技術によるX2セットアップのシグナリングのフローチャートであって、図3のように、X2セットアップのステップは以下を含む：
ステップS302、eNB1はX2セットアップ請求メッセージ（X2 SETUP REQUEST）をeNB2に送信する；
ステップS304、eNB2はX2セットアップ請求メッセージを受信し、メッセージの内容によって、eNB1のリソース情報をセットアップし、eNB1にX2セットアップ応答メッセージ(X2 SETUP RESPONSE)を送信し；その後、eNB1はX2セットアップ応答メッセージを受信する後、ローカルでeNB2のリソース情報をセットアップする。
【０００６】
図4は関連技術によるEnb配置更新のシグナリングのフローチャートであって、図4のように、eNB配置更新は以下のステップを含む：
ステップS402、eNBの運行期間に、常にリソースの削除、セットアップと改正が発生する。例えば、eNB1は一つのセルを削除し、eNB2にメッセージeNB配置更新メッセージを送信する(ENB CONFIGURATION UPDATE)；
ステップS404、eNB2はeNB配置更新請求メッセージを受信した後、リソースを更新し、eNB配置更新応答メッセージ(ENB CONFIGURATION UPDATE ACKNOWLEDGE)をeNB1に送信する。
【０００７】
上記のフローからわかるように：eNBでのセル情報は変化を続けていて、隣のeNBは相互にセル情報（セルリソースを削除し、セルリソースをセットアップし、セルリソースを改正し）を交換する必要があって、目前はX2セットアッププロセスのeNBパワーオンの時或いはeNB配置更新プロセスのeNBリソース変化になる時だけを利用して相互にリソース情報の交換ができ、こうして隣接のeNB間でのリソースが不一致になる可能性があって、さらにハンドオーバー失敗、リソース停止の状況になる。
【発明の概要】
【発明が解決しようとする課題】
【０００８】
目前隣接のeNB間でのリソースが不一致の可能性が高い状況、さらにハンドオーバー失敗、リソース停止など現象の問題に対して本発明を提出して、そのために、本発明はeNBのリソース監査方法とシステムを提供し、上記問題を解決する。
【課題を解決するための手段】
【０００９】
前記目的を実現するため、本発明の一つの方面によって、eNBのリソース監査方法を提供する。
【００１０】
本発明によるeNBのリソース監査方法であって、第一eNBと第二eNBを含む通信システムに応用され、その中、前記第一eNBと前記第二eNBが隣接関係を備えていて、X2インターフェースを通じて通信し、前記の方法には：
前記第一eNBはリソース監査プロセスをトリガーし、前記第二eNBにリソース監査請求メッセージを送信する；
前記第一eNBは前記第二eNBが前記リソース監査請求メッセージに応答して送信したリソース監査応答メッセージを受信し、前記リソース監査応答メッセージの中から前記第一eNBの第一リソース情報を取得する；
前記第一eNBは取得した前記第一リソース情報と前記第一eNBのローカルストレージの第二リソース情報によって監査する。
【００１１】
望ましいのは、第一eNBが前記リソース監査プロセスをトリガーする方式は以下の一つを含む：周期的に前記監査プロセスをトリガーする；前記第二eNBからのトリガーメッセージに応答して、前記監査プロセスをトリガーする。
【００１２】
望ましいのは、第一eNBが第二eNBに前記リソース監査請求メッセージを送信した後、前記の方法はさらに：
前記リソース監査請求メッセージに応答して、第二eNBはそれのローカルで第一eNBのリソースを読み取って、第一リソース情報を取得する；
第二eNBはリソース監査応答メッセージを通じて第一リソース情報を前記第一eNBに送信する；を含む。
【００１３】
望ましいのは  記第一eNBリソース情報には第一eNBのセルID、第一eNBのセル個数の情報の中の少なくとも一つを含む。
【００１４】
望ましいのは、前記第一eNBが監査の処理を行うことは具体的には：
前記第一eNBは前記第一リソース情報と前記第二リソース情報とを対比する；対比の結果、両者が不一致である場合に、前記第一eNBは前記対比の結果によってリソース更新プロセスをトリガーする；である。
【００１５】
望ましいのは、前記第一eNBは前記対比の結果によって前記リソース更新プロセスをトリガーの処理は具体的には：
前記第二リソース情報に存在するが、前記第一リソース情報に存在しないリソースに対して、前記第一eNBはそれを配置更新メッセージの増加部分に書き込む；および/又は前記第二リソース情報に存在しないが、前記第一リソース情報に存在するリソースに対して、前記第一eNBはそれを配置更新メッセージの削除部分に書き込む；および/ 又は前記第一リソース情報と前記第二リソース情報にともに存在するインデックスが同じ、ただし前記インデックスに対応するほかのリソースが異なるリソースに対し、前記第一eNBはそれを配置更新メッセージの改正部分に書き込む；
前記第一eNBは前記第二eNBに配置更新メッセージを送信し、リソース更新プロセスを実行する；を含む。
【００１６】
望ましいのは、前記リソース監査請求メッセージと前記リソース監査応答メッセージの中には前記第一eNBに対応する第一eNBIDと前記第二eNBに対応する第二eNBIDをさらに携帯している。
【００１７】
上記目的を実現するため、本発明のもう一つの方面によって、  eNBのリソース監査システムを提供する。
【００１８】
本発明による監査システムであって、第一eNBと第二eNBを含み、その中、前記第一eNBと前記第二eNBが隣接関係を備え、X2インターフェースを通じて通信し、そして前記のシステムには：
前記第一eNBにあって、リソース監査プロセスをトリガーすることに利用されるトリガーモジュール；
前記第一eNBにあって、前記第二eNBにリソース監査請求メッセージを送信することに利用される第一送信モジュール；
前記第一eNBにあって、前記第二eNBが前記リソース監査請求メッセージに応答して送信したリソース監査応答メッセージを受信することに利用される第一受信モジュール；
前記第一eNBにあって、前記第一受信モジュールが受信した前記リソース監査応答メッセージの中から前記第一eNBの第一リソース情報を取得することに利用される取得モジュール；
前記第一eNBにあって、前記取得モジュールが取得した前記第一リソース情報と前記第一eNBがローカルストレージする第二リソース情報によって監査することに利用される監査モジュール；を含む。
【００１９】
望ましいのは、上記システムはさらに：
前記第二eNBにあって、前記第一eNBからの前記リソース監査請求メッセージを受信することに利用される第二受信モジュール；
前記第二eNBにあって、前記リソース監査請求メッセージに応答し、前記第二eNBのローカルで前記第一eNBのリソースを読み取って、前記第一リソース情報を獲得することに利用される読み取りモジュール；
前記第二eNBにあって、前記リソース監査応答メッセージを通じて前記第一リソース情報を前記第一eNBに送信することに利用される第二送信モジュール；を含む。
【００２０】
望ましいのは、前記監査モジュールは具体的に：
前記第一リソース情報と前記第二リソース情報を対比することに利用される対比サブモジュール；
前記対比サブモジュールの対比結果が両者不一致である場合において、前記第一Enbが前記対比結果によってリソース更新プロセスをトリガーすることに利用されるトリガーサブモジュール；を含む。
【００２１】
本発明を通じて、eNBの間のリソース監査のプロセスを増加させ、eNBの間でリソースメッセージ持つの情報を送信することを通じてリソースの監査を行って、可能性高い隣接のeNBの間でリソースが不一致になる状況、さらにハンドオーバー失敗、リソース停止現象を解決し、eNBの間でリソースの一致を保証する。
【図面の簡単な説明】
【００２２】
ここで説明する図面は本発明に一層の理解を提供するためであり、本請求の一部分となる。本発明の実施例及びそれの説明は本発明を説明するためであり、本発明の不当限定にはならない。図面の中で：
【図１】図1は関連技術によるLTE通信システムの構成フローチャート；
【図２】図2は関連技術によるeNBリセットのシグナリングのフローチャート；
【図３】図3は関連技術によるX2セットアップのシグナリングのフローチャート；
【図４】図4は関連技術によるeNB配置更新のシグナリングのフローチャート；
【図５】図5は本発明の実施例によるeNBのリソース監査方法のフローチャート；
【図６】図6は本発明の実施例によるeNBのリソース監査方法のシグナリングのフローチャート；
【図７】図7は本発明の実施例によるeNBのリソース監査システムのフローチャート；
【図８】図8は本発明の実施例によるeNBのリソース監査システムの望ましい構成のフローチャート。
【発明を実施するための形態】
【００２３】
機能概要
要するに、本発明はeNBのリソース監査方法とシステムを提供し、周期性のトリガー或いは事件トリガーの方式を用いてリソース監査プロセスをトリガーし、eNB1とeNB2は隣接関係に配置され、第一eNODE B（以下eNB1と略称）はX2のインターフェースを通じて第二eNode B（以下eNB2と略称）にリソース監査の請求を送信し、eNB2はX2のインターフェースを通じてeNB1にリソース監査応答メッセージを応答する、eNB1はリソース監査応答メッセージを受信した後、応答メッセージ中でのリソース情報とローカルのリソース情報を比較して、比較の結果によってリソースのアライメントプロセスを開始する。これから図面を参考しながら実施例と結びつけて本発明を詳しく説明する。
【００２４】
方法実施例
本発明の実施例によって、eNBのリソース監査方法を提供し、eNB1とeNB2を含む通信システムに用いられ、その中で、eNB1とeNB2は隣接関係があって、X2のインターフェースを通じて通信する。
【００２５】
図5は本発明の実施例のeNBのリソース監査方法によるのフローチャートであり、図6は本発明の実施例のeNBのリソース監査方法によるシグナリングのフローチャートであり、図5と図6のように、当該方法は以下のステップを含む：
ステップS502、eNB1はリソース監査プロセスをトリガーし、eNB2にリソース監査請求メッセージを送信し（即ちステップS602）；そ野中、eNB1はリソース監査のプロセスをトリガーする方式は以下の一つを含む：周期性に監査のプロセスをトリガーすること、eNB2からのトリガーメッセージに応じて監査のプロセスをトリガーすること；
ステップS504、eNB1はeNB2がリソース監査請求メッセージを応じて送信したリソース監査応答メッセージを受信し（即ちステップS604）、リソース監査応答メッセージの中からeNB1の第一リソース情報を獲得する；
ステップS506、eNB1は獲得した第一リソース情報とeNB1がローカルストレージした第二リソース情報によって監査する。
【００２６】
当該実施例を通じて、eNBの間でのリソース監査プロセスを増加し、eNBの間でリソース情報を携帯したメッセージを送信することを通じてリソース監査を行い、目前可能性が高い隣接のeNBの間でのリソースが不一致になって、さらにハンドオーバー失敗、リソース停止など状況をもたらす問題を解決し、eNBの間でのリソースの一致を保証した。
【００２７】
これから実例と合わせて本発明の実現過程に対し詳しく説明する。
【００２８】
ステップ1、数台eNBはパワーオンして正常的に始動し、二台のeNB（即ちeNB1とeNB2）を隣接eNBとして配置し；
ステップ2、X2インターフェースは通信正常、二台隣接するeNBの間でX2インターフェースをセットアップし、周期性監査タイマーを始動し；
ステップ3、周期性監査タイマーは時間となり、eNB1は監査請求メッセージにメッセージ番号33を書き込み、自分（即ちeNB1）のアイデンティティ（Identity、略称ID）を監査請求メッセージのソースeNB IDに書き込み、eNB2のIDを監査請求メッセージの目的eNB  IDフィールドに書き込み、表1のように監査請求メッセージフォーマットを形成し、X2インターフェースを通じて監査請求のメッセージをeNB2に送信する；
表1  監査請求メッセージフォーマット
【００２９】
【表１】
2012503377.tif 000003
【００３０】
ステップ4、eNB2は監査請求メッセージを受信し、リソース監査請求メッセージを応じ、eNB２はそれのローカルでeNB１のリソースを読み取って、第一リソース情報を獲得し；eNB２はリソース監査応答メッセージを通じて、第一リソース情報をeNB1に送信し、その中、eNB１のリソース情報は少なくとも以下のメッセージの中の一つを含む：eNB1のセルID、eNB1のセルの個数；具体的に、監査応答メッセージはメッセージ番号34を書き込み、自分の（即ちeNB2）IDを監査応答メッセージのソースeNB  IDに書き込み、eNB1のIDを監査応答メッセージの目的eNB  IDフィールドに書き込み、eNB1のセルIDを監査応答メッセージの目的セルIDフィールドに順次書き込み、監査応答メッセージ中のセルの個数のフィールドを更新し、即ち、目的セルIDフィールドの中で、一つのセルIDを増加するたびに、セルの個数フィールドは１をプラス、表2のような監査応答メッセージのフォーマットを形成し、X2インタフェースを通じて監査応答メッセージをeNB1に送信する；
表2  監査応答メッセージのフォーマット
【００３１】
【表２】
2012503377.tif 000004
【００３２】
ステップ5、eNB1は監査応答メッセージを受信し、eNB1は第一リソース情報と第二リソース情報を対比する；対比の結果両者が不一致である場合に、eNB1は前記対比の結果によってリソース更新プロセスをトリガーする；具体的に、第二リソース情報に存在し、第一リソース情報に存在しないリソースに対して、eNB1はそれを配置更新メッセージの増加部分に書き込む；および又は第二リソース情報に存在しなく、第一リソース情報に存在するリソースに対して、eNB1はそれを配置更新メッセージの削除部分に書き込む； および/ 又は第一リソース情報と第二リソース情報にともに存在しているインデックスが同じ、ただしインデックスと対応するほかのリソースが違うリソースに対し、第一eNBはそれを配置更新メッセージの改正部分に書き込む；例えば第二リソース情報に存在し、第一リソース情報に存在しないセルIDに対し、eNB1はそれを配置更新メッセージの増加部分に書き込み、および/又は第二リソース情報の中で存在しなく、第一リソース情報の中で存在するセルIDに対し、eNB1はそれを配置更新メッセージの削除部分に書き込み、上記インデックスはセルIDに設置し、第一リソース情報と第二リソース情報共に存在するセルIDが同じ、ただし当該セルIDが対応するほかのリソースが違うリソースに対し、第一eNBは第二リソース情報の中のセルIDと対応するリソースを配置更新メッセージの改正部分に書き込み；eNB1はX2インタフェースを通じてEnb配置更新メッセージをeNB2に送信し、リソース更新プロセスを実行し、即ち、NodeB配置更新プロセスをトリガーし、隣のeNBのリソースを一致にさせる。
【００３３】
システムの実施例
本発明の実施例によって、eNBのリソース監査システムを提供し、eNB1とeNB2を含む、その中、eNB1とeNB2は隣接関係があって、X2インターフェースを通じて通信する。
【００３４】
図7は本発明実施例によるeNBのリソース監査システムの構成フローチャートであって、図7のように、当該システムは以下のものを含む：トリガーモジュール70、第一送信モジュール72、第一受信モジュール74、取得モジュール76、監査モジュール78、次に、上記構成を詳しく説明する。
【００３５】
トリガーモジュール70は、eNB1にあり、リソース監査プロセスをトリガーすることに利用される；
第一送信モジュール72は、eNB1にあり、トリガーモジュール70までつなぎ、eNB2にリソース監査請求メッセージを送信することに利用される；
第一受信モジュール74は、eNB1にあり、eNB2がリソース監査請求メッセージに応じて送信したリソース監査応答メッセージを受信することに利用される；
取得モジュール76は、eNB1にあり、第一受信モジュール74までつなぎ、第一受信モジュール74から受信したリソース監査応答メッセージの中からeNB1の第一リソース情報を取得することに利用される；
監査モジュール78は、eNB1にあり、獲得モジュール76までつなぎ、取得モジュール76が取得した第一リソース情報とeNB1がローカルストレージした第二リソース情報によって監査することに利用される。
【００３６】
図8は本発明実施例によるeNode  Bのリソース監査システムの望ましい構成フローチャートであって、図8のように、前記システムはさらに以下を含む：
第二受信モジュール80は、eNB2にあり、eNB1からのリソース監査請求メッセージを受信することに利用される；
読み取りモジュール82は、eNB2にあり、第二受信モジュール80までつなぎ、リソース監査請求メッセージに応じて、eNB2ローカルでeNB1のリソースを読み取って、第一リソース情報を取得することに利用される；
第二送信モジュール84は、eNB2にあり、読み取りモジュール82までつなぎ、リソース監査応答メッセージを通じて第一リソース情報をeNB1に送信することに利用される。
【００３７】
望ましいのは、監査モジュール78が具体的に以下を含む：
対比サブモジュール782は、第一リソース情報と第二リソース情報を対比することに利用される；
トリガーサブモジュール784は、対比サブモジュール782までつなぎ、対比サブモジュールの対比結果が両者不一致である場合、eNB1が対比結果によってリソース更新プロセスをトリガーすることに利用される。
【００３８】
本発明の上記実施例を通じて、リソース監査技術措置を用いられて、eNBの間でリソース情報を携帯したメッセージを送信することを通じてリソースの監査を行って、目前おきる可能性が高い隣接のeNBの間のリソースが不一致になる状況、さらにハンドオーバー失敗、リソース停止などの現象を解決して、隣するeNBリソース相互にアライメントさせ、eNBの間のリソースの一致を保証し、リソース停止を避ける効果に達し、UEハンドオーバの成功率を高める。
【００３９】
明らかに、本分野の当業者は上記の本発明の各モジュール又は各ステップは通用的な計算装置で実現できて、それらは単独の計算装置に集中して、又は多数の計算装置で構成するネットワークに分布することができて、選択的に、それらは計算装置実行可能のプログラムコードで実現できて、それで、それらを記憶装置の中に保存し、計算装置で実行させて、或いはそれらを各自のアイシーモジュールにそれぞれに作り、又はそれらの中の多数のモジュール或いはステップを単独のアイシーモジュールに作ることで実現できる。こうして、本発明はいかなる特定のハードウェアとソフトウェアの結合に制限されない。
【００４０】
以上記載したのは本発明の望ましい実施例だけであって、本発明を制限するためではなく、本分野の技術者にとって、本発明は各種の改正と変化をすることができる。本発明の精神と原則の中で、すべての改正、交替、改善などは全部本発明の保護範囲の中に含まれるべきである。
【図１】
2012503377.tif 000005
【図２】
2012503377.tif 000006
【図３】
2012503377.tif 000007
【図４】
2012503377.tif 000008
【図５】
2012503377.tif 000009
【図６】
2012503377.tif 000010
【図７】
2012503377.tif 000011
【図８】
2012503377.tif 000012
【国際調査報告】
2012503377.tif 000013
2012503377.tif 000014
2012503377.tif 000015
2012503377.tif 000016